(57)【特許請求の範囲】
【請求項１】
箱本体側蝶番部２０と扉側蝶番部２１と蝶番ピン２２からなる蝶番装置であり、蝶番ピン２２を挿入するために箱本体側蝶番部２０の上方より扉側蝶番部２１を下ろした際に、箱本体側蝶番部２０の蝶番ピン２２用挿通孔２４と扉側蝶番部２１の蝶番ピン２２用挿通孔２４とが合致するように、該箱本体側蝶番部２０に、扉側蝶番部２１の被支持部２５の外形円に対応した半円状の支持部２３を設けたことを特徴とする蝶番装置。
【発明の詳細な説明】
【０００１】
【発明の属する技術分野】
本発明は蝶番に関するもので、例えば、内部に配線用遮断器や制御機器を収納する電気機器収納用箱の蝶番装置に使用するものである。
【０００２】
【従来の技術】
従来、図６、図７に示すように、電気機器収納用箱は箱本体１と扉２に設けた上下の蝶番装置３によって扉２を開閉自在に取り付けている。この蝶番装置３は、箱本体側蝶番部の管部４から延設した垂直取付部５及び本体取付部６を箱本体１の開口側部に溶接するとともに、管部４の両側に位置する扉側蝶番部の管部７を扉２の側板と正面板とのコーナーに配置させ管部７から延設した扉取付部８を扉２の正面板に溶接しておく。この種の電気機器収納用箱の多くは扉２が垂直になるようにして使用するものであるが、箱本体１を背面板を下に寝かせて箱本体１と扉２を取り付ける場合は、扉２を蝶番装置３の扉取付部８を下にして立てた状態で、箱本体１の管部４と扉２の管部６とを合致させて、蝶番ピン９を挿入して取り付けていた。
【０００３】
しかしながら、蝶番装置３の箱本体側蝶番の管部４と扉側蝶番の管部７を合致させるには扉２を水平に持ち上げた状態で保持しなくてならず、傾きがあると蝶番ピン９の挿入が固く水平作業性が悪かった。特に大型の箱では一人で扉２を中空にしかも水平に持ち上げた状態で保持させつつ、合致させた箱本体の管部４と扉の管部７に蝶番ピン９を組み入れることは非常に困難であったので、二人で作業しなければならなかった。
【０００４】
【発明が解決しようとする課題】
本発明は、上記の問題点を解決し、蝶番ピンを挿入する際にも扉を持させておく必要がなく、扉取り付けの作業性を良くした蝶番装置を提供するためになされたものである。
【０００５】
【課題を解決するための手段】
上記の問題を解決した本発明の蝶番装置は、箱本体側蝶番部２０と扉側蝶番部２１と蝶番ピン２２からなる蝶番装置であり、蝶番ピン２２を挿入するために箱本体側蝶番部２０の上方より扉側蝶番部２１を下ろした際に、箱本体側蝶番部２０の蝶番ピン２２用挿通孔２４と扉側蝶番部２１の蝶番ピン２２用挿通孔２４とが合致するように、該箱本体側蝶番部２０に、扉側蝶番部２１の被支持部２５の外形円に対応した半円状の支持部２３を設けたことを特徴とするものである。
【０００６】
【発明の実施の形態】
以下に本発明の第１の実施形態を図１から図３を参照して説明する。
電気機器収納用箱の蝶番装置１３は箱本体側蝶番部２０、扉側蝶番部２１、蝶番ピン２２からなり、箱本体１１の開口側部及び扉１２に取り付けられ、電気機器収納用箱の扉１２を開閉自在に取り付けている。この蝶番装置１３の箱本体側蝶番部２０は、箱本体側の管部１４から延設した垂直取付部１５及び本体取付部１６を箱本体１１の開口側部に溶接するとともに、扉側蝶番部２１は箱本体側の管部１４の両側に位置する扉側の管部１７を扉１２の側板と正面板とのコーナーに配置させ扉側の管部１７から延設した扉取付部１８を扉１２の正面板に溶接してある。そして、取り付け時に箱本体側の管部１４と扉側の管部１７を合致させ蝶番ピン２２を挿入するものである。ここまでは従来の蝶番装置と同様である。
【０００７】
本発明の第１の実施形態は箱本体側蝶番部２０に、この箱本体側蝶番部２０の蝶番ピン２２用挿通孔２４と扉側蝶番部２１の蝶番ピン２２用挿通孔２４とが合致した状態で扉側蝶番部２１を仮保持できる支持部２３を設けたことを特徴とするものである。具体的には、本体側蝶番部２０の上方より扉側蝶番部２１を下ろした際に、箱本体側蝶番部２０の管部１４と扉側蝶番部２１の管部１７との蝶番ピン２２用挿通孔２４同士を合致するように、箱本体側の管部１４の外側の側下部に、扉側蝶番部２１の管部１７内側の薄肉の被支持部２５の外形円に対応した内径円を備える半円状の支持部２３を突設してある。
【０００８】
また、この実施形態では、扉側の管部１７に直接扉取付部１８が設けられているので、管部１７の内側を薄肉の被支持部部２５として、この被支持部２５と扉取付部１８との間に箱本体側の管部１４に設けた支持部２３が入り込むことができるようになっているが、扉取付部１８から延長部を介して扉側の管部１７を設けて隙間を設けたものでは、扉側の管部１７は直管状のものとして箱本体側の管部１４の方を段部にして扉側の管部１７より一段広がった支持部２３を構成してもよい。なお、この実施形態では箱本体側の管部１４が中央、扉側の管部１７が外側であるが逆に構成してもよく、また、３管に限定されるものではなく、蝶番装置１３は箱の大きさに応じて上下だけでなく中央を加えた３箇所としてもよいことは言うまでもない。
【０００９】
以上のように構成した蝶番装置１３を備えた箱本体１１と扉１２を取り付ける際には、まず図１に示すように箱本体１１を背面板を下にして寝かせた状態で置き、その上に扉１２を平らの状態のままかぶせる。このとき、箱本体側蝶番部２０の管部１４と扉側蝶番部２１の管部１７が蝶番ピン２２用挿通孔を合致させて位置するように、箱本体側蝶番部２０の支持部２３に扉側蝶番部２１を仮保持している。次に図２に示すように扉１２を開くと扉側蝶番部２１は箱本体側蝶番部２０の支持部２３に仮保持され、管としての支持部及び軸としての被支持部２５が仮の蝶番として作用するので、扉１２は片手で開閉自在となる。そして扉１２を片手で開状態としておき、もう一方の手で蝶番ピン２２を扉側の管部１７及び箱本体側の管部１４に挿入することとなるが、両方の管の蝶番ピン２２用挿通孔２４、２４の位置は箱本体側蝶番部２０の支持部２３により合致しているので、そのまま位置合わせすることなく蝶番ピン２２を挿入することができる。このとき、扉側蝶番部２１の管部１７である被支持部２５が箱本体側蝶番部２０の支持部２３に保持されているので、蝶番ピン挿入時に扉１２の重量が蝶番ピン２２に加わることがなく簡単に蝶番ピン２２を挿入することができる。
【００１０】
こうして扉１２を一度仮置きして扉１２を開き蝶番ピン２２を挿入という手順が可能になる。よって扉１２を水平に持ち上げたまま作業しなくてもよく、大型の箱でも扉取付け作業を一人で行うことができる。また、大型の金属製の箱では、箱本体と扉の製造上の交差により扉を外して調整が必要な場合でも蝶番ピンを組み入れなくても扉を開閉でき、もちろん取外すこともできるので作業性がよい。
【００１１】
このように構成したものは、箱と扉を組立てる際や、内部機器や扉取付機器を取付ける際に箱を寝かせた状態において蝶番ピンを挿入することなく扉の開閉を行うことができ、蝶番ピンを組み入れる際も扉を水平に持ち上げた状態で保持させる必要もなく、扉の位置も正確にでるため位置あわせが不要となり扉の重量が蝶番ピンにかからないので作業性がよいものである。
【００１２】
次に本発明の第２の実施形態を図４、図５を参照して説明する。
この実施形態では、一方側の蝶番部の蝶番ピン２２用挿通孔２４に他方側の蝶番部に組み入れた蝶番ピン２２の軸心が合致した状態で扉側蝶番部２１を仮保持できる支持部２３を箱本体側蝶番部２０の蝶番ピン２２用挿通孔２４の側下部に設けており、蝶番装置１３を電気機器収納用箱の内扉４０に取り付け、扉側蝶番部２１は内扉４０の正面側に一端を係止爪、他端をねじで固定している。内扉４０は内部機器の配線の際など比較的外すことが多いので、蝶番ピン２２の挿入作業を容易にするために、他方側の蝶番部（この実施形態では扉側蝶番部）に蝶番ピン２２をあらかじめ組み入れておき、ばねなどによって常に突出方向に付勢させて、蝶番ピン２２に一体に設けた操作レバー３２を操作することによって、箱本体側蝶番部２０と蝶番ピン２２との挿脱を行っている。
【００１３】
扉側蝶番部２１は本体３０の一部に管部１７を一体に形成し、管部１７の蝶番ピン２２用挿通孔２４と本体の内空部３１を一体に形成するとともに、蝶番ピン２２の後端から軸心と交差する方向に内空部３１から突出した操作レバー３２を設け、この蝶番ピン２２を管部１７に組み込んで蝶番ピン後端と内空部後壁との間にばね３３を設け常に蝶番ピン２２を突出方向に付勢するようにしている。また、管部１７の先端は本体より突出して箱本体側蝶番部２０の支持部２３に対応する被支持部２５を形成している。さらに操作レバー２２がスライドする溝３４には管部１７に蝶番ピン２２を押入した状態を保持するための係合部３５が設けられ、ばね３３の付勢力に逆らって後側にスライドさせた後、蝶番ピン２２を回転させると操作レバー３２が係合部３５に係合さればね力によって保持される。
【００１４】
この実施形態では被支持部２５を本体３０の突出した管部１７として、この管部１７が箱本体側蝶番部２０の支持部２３に当接したときに、箱本体側の蝶番ピン２２用挿通孔２４と本体３０に組み込まれた蝶番ピン２２の軸心とが合致して、第１の実施形態と同様に、蝶番ピン挿入時に扉１２の重量が蝶番ピン２２に加わることがないので、簡単に蝶番ピン２２を挿入することができる。
【００１５】
このように構成したものは、箱と扉を組立てる際や、内部機器や扉取付機器を取付ける際に箱を寝かせた状態において蝶番ピンを挿入することなく扉の開閉を行うことができ、蝶番ピンを組み入れる際も扉を水平に持ち上げた状態で保持させる必要もなく、扉の位置も正確にでるため位置あわせが不要で作業性がよいものである。また、被支持部を蝶番部の本体としてあるので扉の重量が蝶番ピンにかからないので挿入作業が容易になる。さらに、蝶番ピンを蝶番部にあらかじめ組み込んでスライド自在としてあるので、蝶番ピンの操作レバーを操作するだけで、扉の着脱ができる。
【００１６】
【発明の効果】
以上に説明したように、本発明の蝶番装置は蝶番ピンを挿入しなくても扉を開閉することができ、蝶番ピンを挿入する際にも扉を水平に持ち上げた状態で保持させておく必要がなく、扉取付けの作業性が良い蝶番装置を提供するためになされたものである。
従って、従来の蝶番装置の問題点を解決したものとして業界にもたらす益大なものである。
【図面の簡単な説明】
【図１】本発明の蝶番装置を取り付けた電気機器収納用箱に扉をのせる説明図である。
【図２】本発明の蝶番装置を取り付けた電気機器収納用箱の扉を開いた説明図である。
【図３】本発明の第１の実施形態を示す斜視図である。
【図４】本発明の第２の実施形態を示す一部切欠斜視図である。
【図５】本発明の第２の実施形態を示す垂直断面図である。
【図６】従来の蝶番装置の斜視図である。
【図７】従来の蝶番装置を取り付けた電気機器収納用箱の扉を開いた説明図である。
【符号の説明】
１３  蝶番装置
１４  管部
１７  管部
２０  箱本体側蝶番部
２１  扉側蝶番部
２２  蝶番ピン
２３  支持部
２４  蝶番ピン２２用挿通孔
２５  被支持部
３０  本体
【図１】
0004431256.tif 000002
【図２】
0004431256.tif 000003
【図３】
0004431256.tif 000004
【図４】
0004431256.tif 000005
【図５】
0004431256.tif 000006
【図６】
0004431256.tif 000007
【図７】
0004431256.tif 000008